【手続補正書】
【提出日】平成16年7月9日(2004.7.9)
【手続補正１】
【補正対象書類名】明細書
【補正対象項目名】特許請求の範囲
【補正方法】変更
【補正の内容】
【特許請求の範囲】
【請求項１】
情報処理装置内に記憶されている情報オブジェクトを指定するための情報オブジェクト指定装置において、
該情報処理装置内に記憶されている情報オブジェクトに対応する識別情報と、外部から入力される情報に基づく識別情報との２つの識別情報を比較する識別情報比較手段と、
該識別情報比較手段が該２つの識別情報の一致を検出した時、該識別情報に対応する情報オブジェクトに対してイベントを発生するイベント発生手段とを備えることを特徴とする情報オブジェクト指定装置。
【請求項２】
前記情報オブジェクト指定装置が、情報オブジェクトの識別情報と、前記イベントに対応して実行される動作内容を格納する情報オブジェクト記憶部と、１つ以上の情報オブジェクトをそれぞれに対応する識別情報を用いて表示する表示部とを更に備え、
前記識別情報比較手段が、前記情報処理装置内に記憶されている情報オブジェクトに対応する識別情報として、該表示部によって表示されている識別情報を用いることと、前記イベント発生手段が該情報オブジェクト記憶部に対してイベントを送ることを特徴とする請求項１記載の情報オブジェクト指定装置。
【請求項３】
前記情報オブジェクト記憶部が複数の記憶部によって構成され、該複数の各記憶部に情報オブジェクト記憶部が記憶すべき内容が分散されて記憶されることを特徴とする請求項２記載の情報オブジェクト指定装置。
【請求項４】
前記複数の記憶部の少なくとも１つの記憶部がプログラムを記憶する記憶部であり、
該プログラムを記憶する記憶部が、プログラム内に前記情報オブジェクトが記憶すべき内容の一部を記憶することを特徴とする請求項３記載の情報オブジェクト指定装置。
【請求項５】
前記識別情報比較手段が、前記表示されている識別情報と情報オブジェクトとの対応をテーブル形式で記憶する対応テーブル記憶手段と、
前記外部から入力される情報に基づく識別情報を生成する入力識別情報生成手段と、
該対応テーブル記憶手段に記憶されている識別情報と、該入力識別情報生成手段によって生成された識別情報とを照合する識別情報照合手段とを備えることを特徴とする請求項２記載の情報オブジェクト指定装置。
【請求項６】
前記入力識別情報生成手段がキーボードによって構成されることを特徴とする請求項５記載の情報オブジェクト指定装置。
【請求項７】
前記入力識別情報生成手段が、外部から入力される情報としての手書き文字を認識する手書き文字認識手段によって構成されることを特徴とする請求項５記載の情報オブジェクト指定装置。
【請求項８】
前記対応テーブル記憶手段に記憶されている識別情報を前記手書き文字認識手段に与える識別情報供給手段を更に備え、
該手書き文字認識手段の認識対象を該対応テーブル記憶手段に記憶されている識別情報に限定することを特徴とする請求項７記載の情報オブジェクト指定装置。
【請求項９】
前記手書き文字認識手段による認識結果を合成音声波形に変換する音声合成手段と、
該合成音声を出力する音出力手段とを更に備えることを特徴とする請求項７、または８記載の情報オブジェクト指定装置。
【請求項１０】
前記音出力手段による合成音声の出力中、あるいは該出力後一定時間以内に外部から音声入力があった時、前記手書き文字認識手段の認識結果を無効とさせる手書き文字認識結果キャンセル手段を更に備えることを特徴とする請求項９記載の情報オブジェクト指定装置。
【請求項１１】
前記入力識別情報生成手段が外部から入力された音声を認識する音声認識手段によって構成されることと、
該音声認識手段に、外部から入力される情報としての入力音声を供給する音入力手段を更に備えることを特徴とする請求項５記載の情報オブジェクト指定装置。
【請求項１２】
前記対応テーブル記憶手段に記憶されている識別情報を前記音声認識手段に与える識別情報供給手段を更に備え、
該音声認識手段の認識対象を該対応テーブル記憶手段に記憶されている識別情報に限定することを特徴とする請求項１１記載の情報オブジェクト指定装置。
【請求項１３】
前記識別情報供給手段から出力される識別情報を表音文字列に変換し、該変換結果を前記音声認識手段に与える表音文字列変換手段を更に備えることを特徴とする請求項１２記載の情報オブジェクト指定装置。
【請求項１４】
前記表音文字列変換手段が、前記情報処理装置の音声合成部の１つの構成要素としての表音文字列変換部によって共用されることを特徴とする請求項１３記載の情報オブジェクト指定装置。
【請求項１５】
前記イベント発生手段に、前記表示されている情報オブジェクトの識別情報の読出し指示を与えるマウス手段を更に備え、
該読出し指示に対応して、前記識別情報比較手段が前記２つの識別情報の一致を検出していない状態においても、該イベント発生手段が情報オブジェクトの識別情報読出しを指示するイベントを前記情報オブジェクト記憶部に送り、
前記音声合成部が、該情報オブジェクト記憶部からの出力を受けて、情報オブジェクトの識別情報を音声出力することを特徴とする請求項１４記載の情報オブジェクト指定装置。
【請求項１６】
前記音声合成部が、前記情報オブジェクトの識別情報の音声出力後に、自音声合成部内の音出力部を解放し、前記情報処理装置内の他の部分に該音出力部を利用可能とさせることを特徴とする請求項１５記載の情報オブジェクト指定装置。
【請求項１７】
前記表音文字列変換手段の変換結果の文字列に対して、外部からの指示に応じた修正を行う表音文字列修正手段を更に備えることを特徴とする請求項１３記載の情報オブジェクト指定装置。
【請求項１８】
前記音声認識手段による認識結果を合成音声波形に変換する音声合成手段と、
該合成音声を出力する音出力手段とを更に備えることを特徴とする請求項１１記載の情報オブジェクト指定装置。
【請求項１９】
前記音出力手段による合成音声の出力中、あるいは該出力後一定時間以内に外部から音声入力があった時、前記音声認識手段の認識結果を無効とさせる音声認識結果キャンセル手段を更に備えることを特徴とする請求項１８記載の情報オブジェクト指定装置。
【請求項２０】
前記イベント発生手段に対して、前記表示されている情報オブジェクトに対するイベントの発生指示を与えるマウス手段を更に備え、
該イベント発生指示に対応して、前記識別情報比較手段が前記２つの識別情報の一致を検出していない状態においても、該イベント発生手段が該表示されている識別情報に対応する情報オブジェクトに対するイベントを発生することを特徴とする請求項１１記載の情報オブジェクト指定装置。
【請求項２１】
前記マウス手段の動きを検出し、該マウス手段による外部からの入力操作が行われている間、前記音声認識手段の認識動作を停止させるマウス操作検出手段を更に備えることを特徴とする請求項２０記載の情報オブジェクト指定装置。
【請求項２２】
前記音声認識手段が、前記イベント発生手段によるイベントの発生後に前記音入力手段を解放し、前記情報処理装置の他の部分に該音入力手段の利用を可能とさせることを特徴とする請求項１１記載の情報オブジェクト指定装置。
【請求項２３】
前記イベント発生手段に対して、前記表示されている情報オブジェクトに対するイベントの発生指示を与えるマウス手段を更に備え、
該イベント発生指示に対応して、前記識別情報比較手段が前記２つの識別情報の一致を検出していない状態においても、該イベント発生手段が該表示されている識別情報に対応する情報オブジェクトに対するイベントを発生することを特徴とする請求項１記載の情報オブジェクト指定装置。
【請求項２４】
情報処理装置内に記憶されている情報オブジェクトを指定するために、
該情報処理装置内に記憶されている情報オブジェクトに対応する識別情報と、外部から入力される情報に基づく識別情報との２つの識別情報を比較させる第１の手順と、
該比較において該２つの識別情報の一致が検出された時、該識別情報に対応する情報オブジェクトに対してイベントを発生させる第２の手順とをコンピュータに実行させるプログラムを記憶したコンピュータ読み取り可能な記憶媒体。
【請求項２５】
前記２つの識別情報を比較させる機能が、前記情報処理装置内に記憶されている情報オブジェクトに対応する識別子として、表示部によって表示され、それぞれ情報オブジェクトに対応する１つ以上の識別情報を使用させることと、
前記イベントを発生させる機能が、情報オブジェクトの識別情報とイベントに対応して実行される動作内容を格納する情報オブジェクト記憶部に対してイベントを送り出させることを特徴とする請求項２４記載のコンピュータに実行させるプログラムを記憶したコンピュータ読み取り可能な記憶媒体。
【請求項２６】
情報処理装置内に記憶されている情報オブジェクトを指定するために、
該情報処理装置内に記憶されている情報オブジェクトに対応する識別情報と、外部から入力される情報に基づく識別情報との２つの識別情報を比較させるステップと、
該比較において該２つの識別情報の一致が検出された時、該識別情報に対応する情報オブジェクトに対してイベントを発生させるステップとを備えることを特徴とする情報オブジェクト指定方法。
【請求項２７】
前記２つの識別情報を比較させる機能が、前記情報処理装置内に記憶されている情報オブジェクトに対応する識別情報として、表示部によって表示され、それぞれ情報オブジェクトに対応する１つ以上の識別情報を使用させることと、
前記イベントを発生させる機能が、情報オブジェクトの識別情報とイベントに対応して実行される動作内容を格納する情報オブジェクト記憶部に対してイベントを送り出させることを特徴とする請求項２６記載の情報オブジェクト指定方法。